(57)【要約】【課題】アイコン検索とキーワード検索とを組み合わせて絞り込み検索を行う場合、簡単な操作で検索したい操作機能を容易にかつ迅速に検索する。【解決手段】開示される操作機能の検索手段を有する携帯電話機は、検索手段が、例えば「自局番号表示」の操作機能に対応して予め設定された「ジキョクバンゴウヒョウジ」及びこのキーワードに対応したアイコン情報を記憶する検索用の検索テーブル１６と、「自局番号表示」のアイコン検索を行いこのアイコン検索の途中で「ジキョクバンゴウヒョウジ」を用いたキーワード検索に切り替えて、「自局番号表示」に対応した「ジキョクバンゴウヒョウジ」について、１つの先頭カナ文字「ジ」を入力して上記検索テーブルを検索してその操作機能が得られない場合には、さらに次のカナ文字「キ」を追加して入力して上記検索テーブルの検索を繰り返して検索すべき操作機能を絞り込む制御部３とを備えている。【選択図】      図１
2005006120.tif 000002
【特許請求の範囲】
【請求項１】
複数の操作機能にそれぞれ対応して予め設定されたキーワード及びアイコン情報を記憶し、前記キーワードを用いたキーワード検索と前記アイコン情報を用いたアイコン検索とを組み合わせて、所望の操作機能の絞り込み検索を行うように構成されてなる操作機能の検索手段を有する携帯電話機であって、
前記検索手段は、前記複数の操作機能にそれぞれ対応して予め設定された前記キーワード及び前記アイコン情報を一定の順序で記憶する検索用の検索テーブルと、
前記所望の操作機能についてアイコン検索を行い、必要に応じて該アイコン検索の途中で前記キーワード検索に切り替えて、前記所望の操作機能に対応した前記キーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む制御部と、
を備えていることを特徴とする操作機能の検索手段を有する携帯電話機。
【請求項２】
前記アイコン情報には、前記所望の操作機能に関する分類情報が階層的に含まれていることを特徴とする請求項１記載の操作機能の検索手段を有する携帯電話機。
【請求項３】
前記検索テーブルは、機能名読みカナ情報及び機能名に関するアイコン情報を含むことを特徴とする請求項１又は２記載の操作機能の検索手段を有する携帯電話機。
【請求項４】
前記機能名読みカナ情報及び前記アイコン情報は、それぞれ対応付けられて、前記機能名読みカナ情報に記憶されている前記キーワードを基準として一定の順序で記憶されていることを特徴とする請求項３記載の操作機能の検索手段を有する携帯電話機。
【請求項５】
前記検索テーブルの検索は、機能呼出しキー、カナ文字キー、確定キー及びスクロールキーを含む入力部の操作により、前記制御部の制御に基づいて行われることを特徴とする請求項１乃至４のいずれか１に記載の操作機能の検索手段を有する携帯電話機。
【請求項６】
複数の操作機能にそれぞれ対応して予め設定されたキーワード及びアイコン情報を記憶し、前記キーワードを用いたキーワード検索と前記アイコン情報を用いたアイコン検索とを組み合わせて、所望の操作機能の絞り込み検索を行うように構成されてなる操作機能の検索手段を有する携帯電話機の検索方法であって、
前記複数の操作機能にそれぞれ対応して予め設定された前記キーワード及び前記アイコン情報を一定の順序で記憶する工程と、
前記所望の操作機能についてアイコン検索を行い、必要に応じて該アイコン検索の途中で前記キーワード検索に切り替えて、前記所望の操作機能に対応した前記キーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む工程と、
を備えていることを特徴とする操作機能の検索手段を有する携帯電話機の検索方法。
【発明の詳細な説明】
【０００１】
【発明の属する技術分野】
この発明は、操作機能の検索手段を有する携帯電話機及び該携帯電話機の操作機能の検索方法に係り、詳しくは、アイコン検索とキーワード検索とを組み合わせて所望の操作機能の絞り込み検索を行う操作機能の検索手段を有する携帯電話機及び該携帯電話機の操作機能の検索方法に関する。
【０００２】
【従来の技術】
近年、携帯電話機の発展に伴い各種の操作機能が増加してきているが、この増加により検索したい操作機能を容易にかつ迅速に検索することが困難になってきている。例えば、従来の携帯電話機において、複数の操作機能の中から検索したい所望の操作機能を検索する一般的な方法として、機能呼出しキーを押してテンキーに割り当てられている数字キーを入力する、いわゆる（機能呼出しキー＋数字キー）の検索方法が知られているが、この検索方法では機能設定番号（例えばＦ４２のような）を暗記する必要があるので煩わしくなる。また、その機能設定番号を入力するには、テンキーを何回も繰り返して押下しなければならず、時間がかかるので操作が面倒になる。したがって、簡単な操作で検索したい所望の操作機能を容易にかつ迅速に検索できるようにした携帯電話機及びその検索方法の出現が望まれている。
【０００３】
そのような観点から、キーワードに基づいてデータベースからデータを検索して表示するようにしたデータ表示方法及びそのシステムが開示されている（例えば、特許文献１参照）。同データ表示方法は、キーワードに対応してアイコン画像と関連する背景画像とを記憶し、アイコン画像をアイコンとして表示し、このアイコンを操作することにより所望のキーワードでデータベースを検索した場合に、そのキーワードでデータベースを検索した結果の検索データを、上記背景画像を背景として表示するようにしている。
【０００４】
また、登録データベース量の多少にかかわらず、登録、検索の際の操作性を良好にするようにしたデータファイル装置が開示されている（例えば、特許文献２参照）。同データファイル装置は、アイコンを用いた方法を使用するシンボル登録検索部と、キーボードから直接キーワードを入力する方法を使用するキーワード登録検索部との両方を備え、既に登録されているファイルの数を文書検出部により検出した結果に基づいて、選択部により上記両検索部を使い分けて、ファイル数が少ない場合には、シンボル登録検索部を使用し、ファイル数が多い場合には、キーワード登録検索数を使用するようにしている。
【０００５】
【特許文献１】
特開平８−２３４９５６号公報（第３〜８、図１〜１４）。
【特許文献２】
特開平６−３３２９５３号公報（第４〜８頁、図１８）。
【０００６】
【発明が解決しようとする課題】
しかしながら、特許文献１、２に開示されているデータの検索方法では、複数の操作機能にそれぞれ対応して予め設定されているキーワードを利用して絞り込み検索を行う場合に、簡単な操作で検索したい所望の操作機能を容易にかつ迅速に検索を行うのが困難になる、という問題がある。
すなわち、特許文献１に記載されているデータ表示方法では、表示したアイコンを操作することにより所望のキーワードでデータベースを検索して検索結果の検索データを、背景画像を背景として表示するようにしているが、この特許文献１にはキーワードを用いて絞り込み検索を行うことについては何ら考慮されていない。
【０００７】
また、特許文献２に記載されているデータファイル装置では、アイコンを用いた方法を使用するシンボル登録検索部と、キーボードから直接キーワードを入力する方法を使用するキーワード登録検索部との両方を備えて、既に登録されているファイルの数に応じて、いずれかの検索部を選択して起動するようにしているが、選択したいずれかの検索部により検索を行うために、検索の途中で検索部の切り替えを行うことができない。したがって、初めに選択した検索部により検索を継続しなければならない。
【０００８】
この発明は、上述の事情に鑑みてなされたもので、アイコン検索とキーワード検索とを組み合わせて所望の操作機能の絞り込み検索を行う場合、簡単な操作で検索したい所望の操作機能を容易にかつ迅速に検索することができるようにした操作機能の検索手段を有する携帯電話機及び該携帯電話機の操作機能の検索方法を提供することを目的としている。
【０００９】
【課題を解決するための手段】
上記課題を解決するために、請求項１記載の発明は、複数の操作機能にそれぞれ対応して予め設定されたキーワード及びアイコン情報を記憶し、上記キーワードを用いたキーワード検索と上記アイコン情報を用いたアイコン検索とを組み合わせて、所望の操作機能の絞り込み検索を行うように構成されてなる操作機能の検索手段を有する携帯電話機に係り、上記検索手段は、上記複数の操作機能にそれぞれ対応して予め設定された上記キーワード及び上記アイコン情報を一定の順序で記憶する検索用の検索テーブルと、上記所望の操作機能についてアイコン検索を行い、必要に応じて該アイコン検索の途中で上記キーワード検索に切り替えて、上記所望の操作機能に対応した上記キーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む制御部とを備えていることを特徴としている。
【００１０】
また、請求項２記載の発明は、請求項１記載の操作機能の検索手段を有する携帯電話機に係り、上記アイコン情報には、上記所望の操作機能に関する分類情報が階層的に含まれていることを特徴としている。
【００１１】
また、請求項３記載の発明は、請求項１又は２記載の操作機能の検索手段を有する携帯電話機に係り、上記検索テーブルは、機能名読みカナ情報及び機能名に関するアイコン情報を含むことを特徴としている。
【００１２】
また、請求項４記載の発明は、請求項３記載の操作機能の検索手段を有する携帯電話機に係り、上記機能名読みカナ情報及び上記アイコン情報は、それぞれ対応付けられて、上記機能名読みカナ情報に記憶されている上記キーワードを基準として一定の順序で記憶されていることを特徴としている。
【００１３】
また、請求項５記載の発明は、請求項１乃至４のいずれか１に記載の操作機能の検索手段を有する携帯電話機に係り、上記検索テーブルの検索は、機能呼出しキー、カナ文字キー、確定キー及びスクロールキーを含む入力部の操作により、上記制御部の制御に基づいて行われることを特徴としている。
【００１４】
また、請求項６記載の発明は、複数の操作機能にそれぞれ対応して予め設定されたキーワード及びアイコン情報を記憶し、上記キーワードを用いたキーワード検索と上記アイコン情報を用いたアイコン検索とを組み合わせて、所望の操作機能の絞り込み検索を行うように構成されてなる操作機能の検索手段を有する携帯電話機の検索方法に係り、上記複数の操作機能にそれぞれ対応して予め設定された上記キーワード及び上記アイコン情報を一定の順序で記憶する工程と、上記所望の操作機能についてアイコン検索を行い、必要に応じて該アイコン検索の途中で上記キーワード検索に切り替えて、上記所望の操作機能に対応した上記キーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む工程とを備えていることを特徴としている。
【００１５】
【発明の実施の形態】
以下、図面を参照して、この発明の実施の形態について説明する。説明は、実施例を用いて具体的に行なう。
図１は、この発明の一実施例である操作機能の検索手段を有する携帯電話機の概略構成を示すブロック図、図２は同携帯電話機の主要部であるメモリに保存されている機能テーブルの内容を示す図、図３は同携帯電話機を用いてアイコン検索とキーワード検索とを組み合わせて所望の操作機能の絞り込み検索を行う方法を説明するフローチャート、図４〜図８は同携帯電話機を用いて所望の操作機能の絞り込み検索を行う場合の画面表示の例を示す図である。
この例の操作機能の検索手段を有する携帯電話機は、図１に示すように、基地局と信号の送受信を行う送受信アンテナ１と、送受信アンテナ１に接続されて送受信信号の変調、復調処理を行う送受信部２と、送受信部２に接続されて送受信信号について音声信号、データ信号の処理を行う信号処理部７と、信号処理部７に接続されて音声信号の符号化、復号化処理を行う音声処理部８と、音声処理部８に接続されて復号化されたアナログ電気信号を音声に変換処理して出力するスピーカー９と、音声処理部８に接続されて音声をアナログ電気信号に変換処理して入力するマイクロフォン１０とを備えている。
【００１６】
さらに、この例の操作機能の検索手段を有する携帯電話機は、図１に示すように、信号処理部７に接続されてデータ信号の処理を行う制御部３と、制御部３に接続されて後述する機能テーブル１６を保存するメモリ４と、制御部３に接続された機能呼出しキー１１、カナ文字キー１２、確定キー１３及びスクロールキー１４を含む入力部１５と、制御部３に接続されてデータ信号を画像情報電気信号に変換処理する表示駆動回路５と、表示駆動回路５に接続されて画像情報電気信号を画像光に変換処理して表示する表示部６とを備えている。
【００１７】
上述のメモリ４に保存されている機能テーブル１６は、機能名読みカナ情報１７及びアイコン情報１８を含み、図２に示すように、それぞれ対応付けられて、機能名読みカナ情報１７のキーワードを基準として５０音順に記憶されている。アイコン情報１８には、複数の操作機能に関する分類情報が階層的に含まれている。すなわち、例えば複数の操作機能に関する分類情報が、大分類、中分類及び小分類のように階層的に含まれている。図２では、一例として中分類が表示されている。このように、アイコン情報１８に複数の操作機能に関する分類情報を階層的に含ませることにより、アイコン検索の絞り込み検索が行えるように構成されている。
【００１８】
また、必要に応じてアイコン検索の途中において、ユーザの判断により、検索テーブル１６の機能名読みカナ情報１７に記憶されているキーワードを用いたキーワード検索に切り替えられるように構成されている。キーワード検索を行う場合は、検索したい所望の操作機能に対応したキーワードについて、１つの先頭カナ文字を入力して検索テーブル１６を検索してその操作機能が得られない場合には、さらに次のカナ文字を追加して入力して検索テーブル１６の検索を繰り返して検索すべき所望の操作機能を絞り込むように構成されている。
【００１９】
次に、図３のフローチャートを参照して、この例の携帯電話機を用いてアイコン検索とキーワード検索とを組み合わせて絞り込み検索を行う方法を説明する。ここでは一例として、検索テーブル１６に格納されている複数の操作機能の内、所望の操作機能として「自局番号表示」を選んだ例で説明する。
まず、入力部１５の機能呼出しキー１１を押下する（ステップＳ１）。次に、制御部３はその押下を検出して、表示駆動回路５を通じて表示部６に図４に示すようなメニュー画面を表示させる（ステップＳ２）。このメニュー画面には、キーワード入力の欄とアイコン（アイコン１〜６）が表示されて、最初の選択画面となる。次に、アイコン検索を選択するか、あるいはキーワードによる絞り込み検索を選択するかを選択する（ステップＳ３）。いずれの検索を選択するかはユーザの判断による。
【００２０】
図４のメニュー画面には、カーソル（図示せず）が表示されていて、例えばアイコン６⇒アイコン５⇒アイコン４……⇒アイコン１⇒キーワードのように順次に移動可能になっている。したがって、アイコン１〜アイコン６のいずれかにカーソルを合わせることにより、アイコン検索を選択することができるように構成されている。一方、キーワードの欄にカーソルを合わせることにより、キーワード検索を選択できるように構成されている。あるいは、テンキーをアイコン１〜アイコン６、キーワードの欄にそれぞれ割り当てて、割り当てられた各テンキーを押下することによっても、アイコン検索又はキーワード検索を選択できるように構成されている。
【００２１】
ここで、目的とする「自局番号表示」が含まれている大分類６に対応したアイコン６のキーを押下することにより、アイコン検索を選択したものとする（ステップＳ３）。これにより図５のＡ画面が表示され（ステップＳ４）、これ以降は入力部のスクロールキー１４を押下してアイコンを選択する（ステップＳ５）ごとに、図５のＢ画面のようにそのアイコン下に分類されている機能への絞り込み検索が行われることになる。次に、検索結果に目的の「自局番号表示」が表示されたか否かを判断する（ステップＳ６）。もし、その検索結果で目的とする「自局番号表示」が検索された場合は、入力部１５の確定キー１３を操作して「自局番号表示」を確定する（ステップＳ７）。
【００２２】
この結果、表示部６に検索された「自局番号表示」の操作機能画面が表示され（ステップＳ８）、目的とする「自局番号表示」の操作機能が検索されたことになる。（ステップＳ６）において、目的とする「自局番号表示」が検索されない場合は、再び（ステップＳ３）に戻って、アイコン検索を選択するか、あるいはキーワードによる絞り込み検索を選択するかを選択する（ステップＳ３）。なお、アイコンを選択した後、このアイコン下に分類されているメニューを説明表示画面内に、いわゆる吹き出し内に一覧で表示されるようになる。
【００２３】
次に、（ステップＳ３）において、キーワード絞り込み検索を選択した場合の検索方法を説明する。
まず、入力部１５の文字キー１２を操作してキーワードである「ジキョクバンゴウヒョウジ」の１文字である「ジ」を入力する（ステップＳ９）。次に、制御部３はその入力を検出して、機能名読みカナ情報１７から「ジ」で始まる機能名を検索して、検索した画面を表示部６に表示させる（ステップＳ１０）。次に、検索結果に目的のキーワードである「ジキョクバンゴウヒョウジ」が表示されたか否かを判断する（ステップＳ１１）。もし、「ジ」で始まる機能名の対象件数が少なくてその検索結果で目的とする「ジキョクバンゴウヒョウジ」が検索された場合は、図６のＡ画面が表示される。そして、フローは（ステップＳ１４）に進む。
【００２４】
しかしながら、実際の検索ではこのように１回のキーワード検索で目的の機能名が表示されることはきわめて希であり、ほとんどの場合は、目的と異なる機能名が表示される。したがって、このように検索結果に目的とする「ジキョクバンゴウヒョウジ」が表示されなかった場合は、スクロールキー１４でその「ジキョクバンゴウヒョウジ」を検索するか、あるいは絞り込み検索を行うかを判断する（ステップＳ１２）。この場合、（ステップＳ１０）で表示された検索結果の件数が判断の目安となる。ここで例えば「ジ」で始まる機能名が比較的多く検索されたものとすると、この多い中から目的とする「ジキョクバンゴウヒョウジ」を、スクロールキー１４で検索するのは困難ので、再度絞り込み検索を行うように判断するものとする。
【００２５】
したがって、次に、再び（ステップＳ９）に戻って、キーワードである「ジキョクバンゴウヒョウジ」の「ジ」の次の１文字である「キ」を追加して入力する。次に、制御部３はその入力を検出して、機能名読みカナ情報１７から「ジキ」で始まる機能名を検索して表示部６に表示させる（ステップＳ１０）。次に、検索結果に目的のキーワードである「ジキョクバンゴウヒョウジ」が表示されたか否かを判断する（ステップＳ１１）。もし、「ジキ」で始まる機能名の対象件数が少なくてその検索結果で目的とする「ジキョクバンゴウヒョウジ」が検索された場合は、図６のＢ画面が表示される。そして、フローは（ステップＳ１４）に進む。
【００２６】
次に、目的とする「ジキョクバンゴウヒョウジ」が検索されなかった場合は、再びスクロールキー１４でその「ジキョクバンゴウヒョウジ」を検索するか、あるいは絞り込み検索を行うかを判断する。比較的少ない機能名が検索されたものとすると、少ないこの中から目的とする「ジキョクバンゴウヒョウジ」を、スクロールキー１４で検索するのは容易と判断して、次にスクロールキー１４により検索を行って、図６のＢ画面を表示させる。
【００２７】
次に、入力部１５のスクロールキー１４を操作して目的とする「ジキョクバンゴウヒョウジ」を選択する（ステップＳ１３）。次に、入力部１５の確定キー１３を押下して「ジキョクバンゴウヒョウジ」を確定する（ステップＳ１４）。この結果、表示部６に検索された「ジキョクバンゴウヒョウジ」の操作機能画面が表示され（ステップＳ１５）、目的とする「ジキョクバンゴウヒョウジ」による「自局番号表示」の操作機能が検索されたことになる。
【００２８】
一方、（ステップＳ２）においてメニュー画面を表示させた後、図７のＡ画面を表示させた後、さらに中分類のアイコン６−６を選択して、Ｂ場面を表示させるような画面表示を行うこともできる。そして、次にキーワードの欄に６を表示させて図７のＡ画面を表示させた後、前述したようにキーワードの「ジ」を入力させることにより、目的の「自局番号表示」を検索することもできる。
【００２９】
以上のようなアイコン検索とキーワード検索とを組み合わせた絞り込み検索を行う方法によれば、検索したい所望の操作機能の検索を行う場合、まずアイコン検索を行って必要に応じて途中でキーワード検索に切り替えるので、簡単に所望の操作機能の絞り込み検索を行うことができるようになる。すなわち、上述したような例えば、「自局番号表示」という操作機能に対応して予め「ジキョクバンゴウヒョウジ」というキーワードが設定されているとして、初めに「自局番号表示」が含まれている分類のアイコン検索を行って途中でユーザが「ジキョクバンゴウヒョウジ」というキーワードによる絞り込み検索に切り替えた方がよいと判断した場合には、ユーザがその「ジキョクバンゴウヒョウジ」というキーワードにより絞り込み検索を行うので、簡単に所望の操作機能の検索を行うことができるようになる。
【００３０】
このように、この例の操作機能の検索手段を有する携帯電話機によれば、複数の操作機能にそれぞれ対応して予め設定されたキーワード及びアイコン情報を記憶し、キーワードを用いたキーワード検索とアイコン情報を用いたアイコン検索とを組み合わせて、所望の操作機能の絞り込み検索を行うように構成されてなる操作機能の検索手段を有する構成において、検索手段は、例えば「自局番号表示」の操作機能に対応して予め設定されたキーワードの「ジキョクバンゴウヒョウジ」を含む複数のキーワード及びこのキーワードに対応したアイコン情報を記憶する検索用の検索テーブル１６と、「自局番号表示」の操作機能のアイコン検索を行いこのアイコン検索の途中で「ジキョクバンゴウヒョウジ」を用いたキーワード検索に切り替えて、「自局番号表示」の操作機能に対応したキーワードの「ジキョクバンゴウヒョウジ」について、１つの先頭カナ文字「ジ」を入力して上記検索テーブルを検索してその操作機能が得られない場合には、さらに次のカナ文字「キ」を追加して入力して上記検索テーブルの検索を繰り返して検索すべき操作機能を絞り込む制御部３とを備えている。
また、この例の携帯電話機の操作機能の検索方法によれば、例えば「自局番号表示」の操作機能にそれぞれ対応して予め設定されたキーワードの「ジキョクバンゴウヒョウジ」を含む複数のキーワード及びこれらのキーワードに対応したアイコン情報を記憶する工程と、「自局番号表示」の操作機能のアイコン検索を行いこのアイコン検索の途中で「ジキョクバンゴウヒョウジ」を用いたキーワード検索に切り替えて、「自局番号表示」の操作機能に対応したキーワードの「ジキョクバンゴウヒョウジ」について、１つの先頭カナ文字「ジ」を入力して上記検索テーブルを検索してその操作機能が得られない場合には、さらに次のカナ文字「キ」を追加して入力して上記検索テーブルの検索を繰り返して検索すべき操作機能を絞り込む工程とを備えている。
したがって、アイコン検索とキーワード検索とを組み合わせて所望の操作機能の絞り込み検索を行う場合、簡単な操作で検索したい操作機能を容易にかつ迅速に検索することができる。
【００３１】
以上、この発明の実施例を図面により詳述してきたが、具体的な構成はこの実施例に限られるものではなく、この発明の要旨を逸脱しない範囲の設計の変更などがあってもこの発明に含まれる。例えば、キーワード絞り込み検索を行う場合、本文実施例では２段階の絞り込みを行う例で説明したが、これらの例に限らず３段階以上の絞り込みを行うようにすることもできる。この場合は、実施例において、再度（ステップＳ９）に戻って、キーワードである「ジキョクバンゴウヒョウジ」の「ジキ」の次の１文字である「ョ」を追加して入力することにより、上述したような絞り込み検索を繰り返すようにすればよい。また、アイコン検索からキーワード検索への切り替えは、実施例のフローチャートで示した例に限らず、任意の時点でユーザの判断に合わせて随時行うことができる。また、実施例では携帯電話機の検索テーブルに保存されている複数の操作機能の内、１つの機能である「自局番号表示」に例をあげてそのキーワードを変更して、このキーワードにより絞り込み検索する方法について説明したが、他の任意の操作機能についても同様に行うことができる。また、複数の操作機能にそれぞれ対応した複数のキーワードをカナ文字で５０音順に記憶させる例で説明したが、キーワードあるいは操作機能を並べる順序は一定の順序であれば５０音順に限る必要はない。
【００３２】
【発明の効果】
以上説明したように、この発明の操作機能の検索手段を有する携帯電話機によれば、検索手段は、複数の操作機能にそれぞれ対応して予め設定されたキーワード及びアイコン情報を一定の順序で記憶する検索用の検索テーブルと、所望の操作機能についてアイコン検索を行い、必要に応じて該アイコン検索の途中でキーワード検索に切り替えて、所望の操作機能に対応したキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む制御部とを備えている。
また、この発明の操作機能の検索手段を有する携帯電話機の検索方法によれば、複数の操作機能にそれぞれ対応して予め設定されたキーワード及びアイコン情報を一定の順序で記憶する工程と、所望の操作機能についてアイコン検索を行い、必要に応じて該アイコン検索の途中でキーワード検索に切り替えて、所望の操作機能に対応したキーワードについて、１つの先頭の文字を入力して上記検索テーブルを検索してその操作機能が得られない場合には、さらに次の文字を追加して入力して上記検索テーブルの検索を繰り返して検索すべき操作機能を絞り込む工程とを備えている。
したがって、アイコン検索とキーワード検索とを組み合わせて所望の操作機能の絞り込み検索を行う場合、簡単な操作で検索したい操作機能を容易にかつ迅速に検索することができる。
【図面の簡単な説明】
【図１】この発明の一実施例である操作機能の検索手段を有する携帯電話機の概略構成を示すブロック図である。
【図２】同携帯電話機の主要部であるメモリに保存されている機能テーブルの内容を示す図である。
【図３】同携帯電話機を用いてアイコン検索とキーワード検索とを組み合わせて所望の操作機能の絞り込み検索を行う方法を説明するフローチャートである。
【図４】同携帯電話機を用いて所望の操作機能の絞り込み検索を行う場合の画面表示の例を示す図である。
【図５】同携帯電話機を用いて所望の操作機能の絞り込み検索を行う場合の画面表示の例を示す図である。
【図６】同携帯電話機を用いて所望の操作機能の絞り込み検索を行う場合の画面表示の例を示す図である。
【図７】同携帯電話機を用いて所望の操作機能の絞り込み検索を行う場合の画面表示の例を示す図である。
【図８】同携帯電話機を用いて所望の操作機能の絞り込み検索を行う場合の画面表示の例を示す図である。
【符号の説明】
１      送受信アンテナ
２      送受信部
３      制御部
４      メモリ
５      表示駆動回路
６      表示部
７      信号処理部
８      音声処理部
９      スピーカー
１０      マイクロフォン
１１      機能呼出しキー
１２      カナ文字キー
１３      確定キー
１４      スクロールキー
１５      入力部
１６      機能テーブル
１７      機能名読みカナ情報
１８      アイコン情報
【図１】
2005006120.tif 000003
【図２】
2005006120.tif 000004
【図３】
2005006120.tif 000005
【図４】
2005006120.tif 000006
【図５】
2005006120.tif 000007
【図６】
2005006120.tif 000008
【図７】
2005006120.tif 000009
【図８】
2005006120.tif 000010